(57)【要約】【課題】緊急時において、異常感知センサーで検出された異常感知信号を、自動ダイヤル、タイマー操作及び人手による操作を介することなく、通信ネットワークを介して即時に管理システム用サーバに送信できる。【解決手段】異常事態を検出する異常感知センサーＸＮと、ＧＰＳ衛星６からＧＰＳ位置情報を受信するＧＰＳ信号受信部１３と、異常感知信号から形成した異常通知信号を制御部１４に送信するインターフェイス部１２と、簡易通報管理システム１の管理システム用サーバ２に異常通知信号を送信する外部ネットワーク通信部１１と、簡易通報器１０を制御する制御部１４と、簡易通報器１０に電力を供給する電源部１６とを備え、異常感知信号が、即時に外部ネットワーク通信部１１を介して管理システム用サーバ２に送信されることを特徴とする。【選択図】図１
2020021434.tif 000002
【特許請求の範囲】
【請求項１】
異常事態を検出する異常感知センサーと、
ＧＰＳ衛星からＧＰＳ位置情報を受信するＧＰＳ信号受信部と、
前記異常感知センサーからの異常感知信号を受信した時に異常通知信号を形成し、前記異常通知信号を制御部に送信するインターフェイス部と、
通信ネットワークを介して簡易通報システムの管理システム用サーバに異常通知信号を送信する外部ネットワーク通信部と、
前記インターフェイス部に、前記異常感知信号を受信した時に即時に、前記異常通知信号を前記外部ネットワーク通信部に送信させ、前記ＧＰＳ信号受信部に前記ＧＰＳ位置情報を前記外部ネットワーク通信部に送信させ、前記外部ネットワーク通信部に、前記異常通知信号と前記ＧＰＳ位置情報とを前記管理システム用サーバに送信させる制御部と、
当該簡易通報器に電力を供給する電源部とを備え；
前記異常通知信号が、即時に前記外部ネットワーク通信部を介して前記管理システム用サーバに送信されることを特徴とする；
簡易通報器。
【請求項２】
当該簡易通報器の識別番号及び／又は当該簡易通報器の所有者の識別番号を記憶する識別情報記憶部を備え；
前記インターフェイス部は、異常感知信号を受信した時に前記異常感知センサーに対応する異常の種別を判別し、前記異常通知信号と共に前記異常の種別を制御部に送信し、
前記制御部は、前記異常感知信号を受信した時に即時に、前記識別情報記憶部から前記簡易通報器の識別番号及び／又は前記所有者の識別番号を読み出して前記外部ネットワーク通信部に送信し、前記外部ネットワーク通信部に、前記異常通知信号と共に前記異常の種別と前記ＧＰＳ位置情報と前記簡易通報器の識別番号及び／又は前記所有者の識別番号とを前記管理システム用サーバに送信させる；
請求項１に記載の簡易通報器。
【請求項３】
当該簡易通報器の寸法が５０×５０×２０ｍｍ３以下であることを特徴とする
請求項１又は請求項２に記載の簡易通報器。
【請求項４】
前記異常感知センサーが、出力を通常状態と異常状態で切り替えるセンサーであり、前記通常状態から前記異常状態に切り替わった時に前記管理システム用サーバに前記異常通知信号を即時に通報することを特徴とする；
請求項１ないし請求項３のいずれか１項に記載の簡易通報器。
【請求項５】
前記異常感知センサーが、通常は非導通であるが水濡れにより導通する電気回路を有する水検知センサーであり、当該簡易通報器を装着した所有者の落水時に前記管理システム用サーバに異常通知信号を即時に通報することを特徴とする；
請求項４に記載の簡易通報器。
【請求項６】
前記異常感知センサーが、温度が所定の温度より高温であることを検出する温度センサーであり、当該簡易通報器が前記所定の温度より高温であることを検出した時に前記管理システム用サーバに異常通知信号を即時に通報することを特徴とする；
請求項４に記載の簡易通報器。
【請求項７】
前記異常感知センサーが、設置位置において傾斜していることを検出する傾斜センサーであり、当該簡易通報器が所定の傾斜より大きい角度の傾斜を検出した時に前記管理システム用サーバに異常通知信号を即時に通報することを特徴とする；
請求項４に記載の簡易通報器。
【請求項８】
前記異常感知センサーからのセンサー情報を、前記インターフェイス部で有線方式で受信する又は近距離無線通信方式等の無線方式で受信することを特徴とする；
請求項１ないし請求項７のいずれか１項に記載の簡易通報器。
【請求項９】
請求項１ないし請求項８のいずれか１項に記載の簡易通報器と前記管理システム用サーバと管理システム用データベースと管理システム用モニタとを備え、
前記管理システム用サーバは、前記簡易通報器から異常通知信号を受信して、前記異常の種別に応じて予め定められた救助機関及び救助隊員に救済のための通報を行い、前記管理システム用モニタに被災者及び前記救助隊員の位置を表示させる；
緊急通報システム。
【請求項１０】
前記救助隊員が、被災地域・山岳地域・豪雪地域又水害のおそれがある地域で救助にあたる救助隊員や、沿岸部や湖沼、河川などの水辺で作業する者であることを特徴とする；
請求項９に記載の簡易通報システム。
【請求項１１】
前記簡易通報器の所有者が学童であり、学校の門に学童の入校・下校を検出し、前記管理システム用サーバに前記入校・下校データを送信可能なチェックゲートと連携し、前記学校の門外で動作することを特徴とする；
請求項９に記載の簡易通報システム。
【請求項１２】
屋内又は屋外に設置され、ビーコン信号を発振するビーコン信号発振器と、
前記ビーコン信号発振器からのビーコン信号を受信するビーコン信号受信回路と、前記ビーコン信号受信回路が前記ビーコン信号を受信したことを簡易通報器に通報する通報インターフェイス回路とを有するアタッチメントとを備え；
前記簡易通報器において、前記通報インターフェイス回路からの通報を受けて、前記異常通知信号が即時に前記外部ネットワーク通信部を介して前記管理システム用サーバに送信されることを特徴とする；
請求項９ないし請求項１１に記載の簡易通報システム。
【発明の詳細な説明】
【技術分野】
【０００１】
本発明は簡易通報器及び簡易通報システムに関する。詳しくは、所持者が緊急時に瞬時に警告信号を発生して通報する簡易通報器及び簡易通報システムに関する。
【背景技術】
【０００２】
通信ネットワーク及び携帯端末の利用・普及が進んでおり、防災・防犯に係る緊急通報システムへの取り組みにも、これらの技術が導入されてきた。
例えば、ボタンをワンタッチして緊急通報を発信するもの（特許文献１，２参照）、オペレータなしで携帯の着呼に応答し、場合により救護要請するもの（特許文献３参照）、人の動きがなくなってから一定時間経過後に安否確認の電子メール通報をするもの（特許文献４参照）等があった。
【先行技術文献】
【特許文献】
【０００３】
【特許文献１】特開２００２−２２３３２２
【特許文献２】特開２００８−０４７０８６
【特許文献３】特開２０１１−０９１６００
【特許文献４】特開２０１２−２３４３７１
【発明の概要】
【発明が解決しようとする課題】
【０００４】
しかしながら、ワンタッチでも通報器を取り出し操作をするのに時間がかかる、自動応答でも自動ダイヤルに時間がかかる、安否確認にもタイマーで設定された待ち時間を要する、等緊急通報まで一定の時間を要するという問題があった。
その一方で、例えば、学童が登下校中に落水等の災害に遭遇した時に、迅速で確実に緊急通報できるシステムが切望されていた。
【０００５】
本発明は、かかる要望に応えるためのもので、
緊急時において、異常感知センサーで検出された異常感知信号を、自動ダイヤル、タイマー操作及び人手による操作を介することなく、通信ネットワークを介して即時に管理システム用サーバに送信されるようにすることを目的とする。
【課題を解決するための手段】
【０００６】
上記課題を解決するために、本発明の第１の態様に係る簡易通報器１０は、例えば図１に示すように、
異常事態を検出する異常感知センサーＸＮと、
ＧＰＳ衛星６からＧＰＳ位置情報を受信するＧＰＳ信号受信部１３と、
異常感知センサーＸＮからの異常感知信号を受信した時に異常通知信号を形成し、異常通知信号を制御部１４に送信するインターフェイス部１２と、
通信ネットワーク５を介して簡易通報システム１の管理システム用サーバ２に異常通知信号を送信する外部ネットワーク通信部１１と、
インターフェイス部１２に、異常感知信号を受信した時に即時に、異常通知信号を外部ネットワーク通信部１１に送信させ、ＧＰＳ信号受信部１３にＧＰＳ位置情報を外部ネットワーク通信部１１に送信させ、外部ネットワーク通信部１１に、異常通知信号とＧＰＳ位置情報とを管理システム用サーバ２に送信させる制御部１４と、
簡易通報器１０に電力を供給する電源部１６とを備え、
異常通知信号が、即時に外部ネットワーク通信部１１を介して管理システム用サーバ２に送信されることを特徴とする。
【０００７】
ここにおいて、簡易通報システム１は、異常感知センサーＸＮを取り付けた簡易通報器１０と管理システム用サーバ２と管理システム用データベース３とが通信ネットワーク５を介して通信接続されて構成されている(図１参照)。なお、「即時に」とは「直ぐに」を意味し、１０秒以内が好ましく、１秒以内がより好ましい。また、「自動ダイヤル」は、宛先を設定する行為を含むものであり、宛先が固定されているものは含まれないものとする。
このように構成すると、緊急時において、異常感知センサーで検出された異常感知信号を、自動ダイヤル、タイマー操作及び人手による操作を介することなく、通信ネットワークを介して即時に管理システム用サーバに送信可能な簡易通報器を提供できる。また、異常通知信号に異常の種別と簡易通報器１０の識別番号及び／又は所有者の識別番号を付する場合に比して、異常通知信号に付する情報が少ないので、早く通報できる。なお、「人手による操作」には、簡易通報器の緊急通報ボタンを押す操作、画面に表示されたボタンやマークをクリックする操作等が含まれる。
【０００８】
また、本発明の第２の態様に係る簡易通報器１０は、第１の態様において、簡易通報器１０の識別番号及び／又は簡易通報器１０の所有者の識別番号を記憶する識別情報記憶部１５を備え、インターフェイス部１２は、異常感知信号を受信した時に異常感知センサーＸＮに対応する異常の種別を判別し、異常通知信号と共に異常の種別を制御部１４に送信し、制御部１４は、異常感知信号を受信した時に即時に、識別情報記憶部１５から簡易通報器１０の識別番号及び／又は所有者の識別番号を読み出して外部ネットワーク通信部１１に送信し、外部ネットワーク通信部１１に、異常通知信号と共に異常の種別とＧＰＳ位置情報と簡易通報器１０の識別番号及び／又は所有者の識別番号とを管理システム用サーバ２に送信させる。
このように構成すると、異常の種類に応じて、また、簡易通報器１０毎に、その位置を表示可能である。
【０００９】
また、本発明の第３の態様に係る簡易通報器１０は、第１又は第２の態様において、当該簡易通報器の寸法が５０×５０×２０ｍｍ３以下であることを特徴とする。
このように構成すると、簡易通報器１０の各部が学童のズボン又はスカートのポケットに収納可能な形状・寸法で、学童が常時携帯可能であり、学童・高齢者等の緊急時に自動的に通報され、さらに、学童、高齢者等の位置を追跡できるので安心感を与える。
【００１０】
また、本発明の第４の態様に係る簡易通報器１０は、第１ないし請求項３のいずれかの態様において、異常感知センサーＸＮが、出力を通常状態と異常状態で切り替えるセンサーであり、通常状態から異常状態に切り替わった時に管理システム用サーバ２に異常通知信号を即時に通報することを特徴とする。
このように構成すると、緊急時に異常通知信号を即時に通報できる。
【００１１】
また、本発明の第５の態様に係る簡易通報器１０は、第４の態様において、例えば図５に示すように、異常感知センサーＸＮが、通常は非導通であるが水濡れにより導通する電気回路を有する水検知センサーＸ１であり、簡易通報器１０を装着した所有者の落水時に管理システム用サーバ２に異常通知信号を即時に通報することを特徴とする。
このように構成すると、落水時に異常通知信号を即時に通報できる。
【００１２】
また、本発明の第６の態様に係る簡易通報器１０は、第４の態様において、異常感知センサーＸＮが、温度が所定の温度より高温であることを検出する温度センサーＸ２であり、簡易通報器１０が所定の温度より高温であることを検出した時に管理システム用サーバ２に異常通知信号を即時に通報することを特徴とする。
このように構成すると、火災時に異常通知信号を即時に通報できる。
【００１３】
また、本発明の第７の態様に係る簡易通報器は、第４の態様において、異常感知センサーＸＮが、設置位置において傾斜していることを検出する傾斜センサーであり、簡易通報器１０が所定の傾斜より大きい角度の傾斜を検出した時に管理システム用サーバ２に異常通知信号を即時に通報することを特徴とする。
このように構成すると、地震時又は獣の衝突等による簡易通報器の傾きを契機に異常通知信号を即時に通報できる。
【００１４】
また、本発明の第８の態様に係る簡易通報器は、第１ないし第７のいずれかの態様において、異常感知センサーＸＮからのセンサー情報を、インターフェイス部１２で有線方式で受信する又は近距離無線通信方式等の無線方式で受信することを特徴とする。
ここにおいて、近距離通信方式には、Ｗｉｆｉ、Ｂｌｕｅｔｏｏｔｈ  Ｌｏｗｐｏｗｅｒ  Ｅｎｅｒｇｙ等が含まれる。
このように構成すると、有線方式又は無線方式により、幅広い方法で簡易通報システムを構築できる。
【００１５】
また、本発明の第９の態様に係る簡易通報システム１は、例えば図１に示すように、第１ないし第８のいずれかの態様に係る簡易通報器１０と管理システム用サーバ２と管理システム用データベース３と管理システム用モニタ４とを備え、管理システム用サーバ２は、簡易通報器１０から異常通知信号を受信して、異常の種別に応じて予め定められた救助機関及び救助隊員に救済のための通報を行い、管理システム用モニタ４に被災者及び救助隊員の位置を表示させる。
このように構成すると、緊急時において、異常感知センサーで検出された異常感知信号を、自動ダイヤル、タイマー操作及び人手による操作を介することなく、通信ネットワークを介して即時に管理システム用サーバに送信可能な簡易通報システムを提供できる。
【００１６】
また、本発明の第１０の態様に係る簡易通報システムは、第９の態様において、救助隊員が、被災地域・山岳地域・豪雪地域又水害のおそれがある地域で救助にあたる救助隊員や、沿岸部や湖沼、河川などの水辺で作業する者であることを特徴とする。
このように構成すると、被災・遭難を知る人材が救助隊員になるので、適切な救助活動を期待できる。
【００１７】
また、本発明の第１１の態様に係る簡易通報システムは、第９ないし１１の態様において、簡易通報器１０の所有者が学童であり、学校の門に学童の入校・下校を検出し、管理システム用サーバ２に入校・下校データを送信可能なチェックゲートと連携し、学校の門外で動作することを特徴とする。
このように構成すると、学童の校外での行動をしっかり見守ることができる。
【００１８】
また、本発明の第１１の態様に係る簡易通報システムは、第９ないし１１のいずれかの態様において、例えば図１１に示すように、屋内に設置され、ビーコン信号を発振するビーコン信号発振器３１と、ビーコン信号発振器３１からのビーコン信号を受信するビーコン信号受信回路３３と、ビーコン信号受信回路がビーコン信号を受信したことを簡易通報器１０に通報する通報インターフェイス回路３４とを有するアタッチメント３０とを備え、簡易通報器１０において、通報インターフェイス回路３４からの通報を受けて、異常通知信号が即時に外部ネットワーク通信部１１を介して管理システム用サーバ２に送信されることを特徴とする。
このように構成すると、簡易通報器１０の所持者が屋内にいる時にも、所持者が屋内にいることを把握できる。
【発明の効果】
【００１９】
緊急時において、異常感知センサーで検出された異常感知信号を、自動ダイヤル、タイマー操作及び人手による操作を介することなく、通信ネットワークを介して即時に管理システム用サーバに送信できる。
【図面の簡単な説明】
【００２０】
【図１】実施例１に係る簡易通報器の構成例を示すブロック図である。
【図２Ａ】実施例１に係る簡易通報器の外観の例を示す図である。
【図２Ｂ】実施例１に係る簡易通報器の蓋を開けた外観の例を示す図である。
【図３】水検知センサーの例を模式的に示す図である。
【図４】簡易通報器を登下校時の学童に持たせ、緊急通報に使用する場合の概念を示す図である。
【図５】簡易通報器を落水通報に利用した場合の概念を示す図である。
【図６】実施例１に係る簡易通報器の動作のフロー例を示す図である。
【図７】簡易通報器を野外活動(マラソン大会)に使用する例を示す図である。
【図８】簡易通報器を船舶管理に使用する例を示す図である。
【図９】簡易通報器を災害救助活動に使用する場合の簡易通報システムの概念を示す図である。
【図１０】簡易通報器を災害救助活動に使用する場合の管理システム用モニタの画面の例を示す図である。
【図１１】実施例４における緊急通報の概念を説明するための図である。
【図１２】簡易通報器の所持者が館内を移動するときの通報の様相を説明するための図である。
【図１３Ａ】簡易通報器をビーコン信号発振器と共に緊急通報に使用する例を示す図である。
【図１３Ｂ】土石流等でビーコン信号発振器が破損又は紛失した場合を示す図である。
【発明を実施するための形態】
【００２１】
以下に、図面を用いて、本発明の実施の形態について説明する。同一又は相当する装置・部分には同じ符号を付して、重複した説明を省略する。
【実施例１】
【００２２】
実施例１では、簡易通報器１０を学童に持たせ、落水時の緊急通報に使用する例について説明する。典型的には、学童がズボンのポケットに簡易通報器１０に入れて登下校し、母親がスマホの表示画面を見て学童の動きを監視する。
図１は、実施例１に係る簡易通報システム１の構成例を示すブロック図である。簡易通報システム１は、異常感知センサーＸＮを取り付けた簡易通報器１０と管理システム用サーバ２と管理システム用データベース３とが通信ネットワーク５を介して通信接続されて構成されている。簡易通報器１０は外部ネットワーク通信部１１を介して通信ネットワーク５に接続され、管理システム用サーバ２に異常通知信号を送信する。
【００２３】
管理システム用サーバ２は、簡易通報システム１を管理・運用するためのサーバである。各簡易通報器１０に係るデータを収集し、編集し、管理システム用モニタ４の表示画面に各簡易通報器１０のＧＰＳ位置情報等を表示して、異常事態が発生していないかを監視する。本実施例では、監視されるものが単数の例を説明するが、複数人を監視することも可能である。
管理システム用データベース３は、各簡易通報器１０に係るデータを蓄積する。簡易通報器１０の現在位置だけでなく、過去の軌跡を追跡することも可能である。当該簡易通報器の識別番号と当該簡易通報器の所有者の識別番号については、管理システム用データベース３に記憶して管理することも可能であるが、各簡易通報器に内蔵の識別情報記憶部１５に併せて記憶しておくと、所有者を迅速に調べられ、データの信頼性も向上するので、好ましい。
ＧＰＳ衛星６はＧＰＳ位置情報の計測に使用される。ＧＰＳ衛星６の軌道情報はＧＰＳ暦に記録されている。
管理システム用モニタ４は、管理システム用サーバ２のモニタである。各簡易通報器１０に係る位置情報等が表示される。
【００２４】
簡易通報器１０は、外部ネットワーク通信部１１、インターフェイス部１２、ＧＰＳ信号受信部１３、制御部１４、識別情報記憶部１５、電源部１６及び共通信号バス１７を含んで構成される。
外部ネットワーク通信部１１は、通信ネットワ−ク５に接続され、通信ネットワ−ク５を介して管理システム用サーバ２に異常通知信号を送信する。
インターフェイス部１２には、各種異常事態を検出するための異常感知センサーＸＮ（Ｎ＝正整数）が接続されている。インターフェイス部１２は、異常感知センサーＸＮからの異常感知信号を受信して、異常通知信号を形成して出力する。また、インターフェイス部１２は、異常感知センサーＸＮが異常を検出した時に、異常感知センサーＸＮに対応する異常の種別を判別し、異常通知信号と共に異常の種別を制御部１４に送信する。例えば、異常感知センサーＸＮとして、水検知センサーＸ１、温度センサーＸ２、傾斜センサーＸ３等を搭載する。
ＧＰＳ信号受信部１３は、常時ＧＰＳ衛星６からＧＰＳ位置情報を受信し、内蔵のＧＰＳ位置情報一時記憶部(図示しない)に記憶する。ＧＰＳ位置情報一時記憶部に記憶されたデータのうち、必要なデータは管理システム用データベース３に保存され、その他のデータは適時に消去される。
【００２５】
制御部１４は、インターフェイス部１２から異常感知信号を受信した時に即時に、異常通知信号と異常の種別を外部ネットワーク通信部１１に送信させ、ＧＰＳ信号受信部１３にＧＰＳ信号受信部１３が受信した最新のＧＰＳ位置情報を外部ネットワーク通信部１１に送信させ、識別情報記憶部１５から簡易通報器１０の識別番号と所有者の識別番号を読み出して外部ネットワーク通信部１１に送信し、外部ネットワーク通信部１１に、異常通知信号と異常の種別とＧＰＳ信号受信部１３が受信した最新のＧＰＳ位置情報と簡易通報器１０の識別番号と所有者の識別番号とを管理システム用サーバ２に送信させる
識別情報記憶部１５は、簡易通報器１０の内蔵メモリである。簡易通報器１０の識別番号と所有者の識別番号を記憶する。管理システム用サーバ２から制御部１４へ送信される信号は、平常時の位置情報計測の命令、節電のための測定間隔の指定等であり、これらはオプション的である。
電源部１６は、簡易通報器１０の各部に電力を供給する。
共通信号バス１７は、簡易通報器１０の各部間で信号及びデータをやり取りする場合のバスとして使用される。
なお、本実施例では異常感知センサーＸＮは水検知センサーＸ１のみで良いので、異常の種別を判断しなくても良い。
【００２６】
図２Ａに、実施例１に係る簡易通報器１０の外観例を示す。例えば４５×３８×１５ｍｍ３のパッケージに、図１に記載の各部とセンサーと電源が収納されている。防水処理がされ、通信法式は例えばＷＣＤＭＡ（登録商標）方式、８００ＭＨｚ〜２ＧＨｚに対応可能である。また、例えば−２０℃〜＋６０℃に適用可能である。パッケージの図柄は変更可能である。小型軽量で学童がズボンやスカートのポケットに入れて携帯可能である。ズボンやスカートのポケットがない場合には、移動ポケット（衣服に着脱して使用するポケット）を用いても良い。また、学童の場合はランドセルに収納しても良い。
【００２７】
図２Ｂに、実施例１に係る簡易通報器１０の蓋を開けた外観の例を示す。マイコン＋センサー回路２１（マイコン回路とセンサー回路を有する）が簡易通報器用パッケージ１０Ｃに内蔵されている。センサー回路はセンサーからの入力信号を数値化して出力する。図１との対応では、外部ネットワーク通信部１１、インターフェイス部１２、ＧＰＳ信号受信部１３のメモリ及びコントローラ部分、制御部１４、共通信号バス１７の全体がマイコン内に構成され、センサー回路は各センサーとインターフェイス部１２との間に構成される。センサーのセンシング部分はセンサー開口部２２から外に出して使用可能である。チャージャー接点２３は電源端子を差し込んで、マイコン＋センサー回路２１に電力を供給可能である。ストラップ開口部２４（又はストラップリング）はストラップを装着する部分である。
【００２８】
図３は、異常感知センサーとして、水検知センサーＸ１の例を模式的に示すものである。水検知センサーＸ１が水に浸かると、水検知センサーＸ１が接続される図３の入力側の２端子Ｘａ，Ｘｂがショートして、通常は０Ｖであった出力側の端子Ｘｃに電圧Ｖｃが発生する。これにより、水検知センサーＸ１の２つの端子Ｘａ，Ｘｂが水に浸かったことが判る。すなわち、異常状態が検知される。図２Ｂとの対応では、水検知回路２５はセンサー回路に該当する。
【００２９】
図４は、簡易通報器１０を登下校時の学童に持たせ、緊急通報に使用する場合の概念を示す図である。簡易通報器１０のＧＰＳ信号受信部１３はＧＰＳ衛星６からの位置情報を常時受信し、管理システム用サーバ２の管理システム用データベース３にＧＰＳ位置情報を記憶することによって、学童のＧＰＳ位置情報をリアルタイムに監視することができる。例えば、水検知センサーＸ１等のセンサーが異常を感知すると、簡易通報器１０のインターフェイス部１２に異常感知信号が伝わり、異常通知信号が形成されて、外部ネットワーク通信部１１から通信ネットワーク５を介して管理システム用サーバ２に異常通知信号が伝達される。異常通知信号にはＧＰＳ位置情報が付される。異常がなくても定期的に平常である旨の信号にＧＰＳ位置情報が付され、外部ネットワーク通信部１１から通信ネットワーク５を介して管理システム用サーバ２に伝達される。保護者（親等）は通信ネットワーク５を介して自分の携帯端末１０Ａから管理システム用サーバ２にアクセスして、学童のＧＰＳ位置情報を監視できる。スマートフォン（パソコンの機能を併せ持つ携帯端末）からのアクセスの場合には、ウェブページの特定の画面にアクセスできるようにしても良く、ウェブページから保護者が別の画面を選択できるようにしても良い。例えば、学童の現在位置だけでなく過去の軌跡も知ることができる。もし、学童が知らない人に連れ去られた場合には、その経路を追跡可能である。また、学童の位置はＧＰＳ位置情報で計測されているので、通学路から一定値以上離れた場合には、自動的に異常通知信号が通報されるようにすることも可能である。また、管理システム用サーバ２は、経路が通学路から離脱した場合に、保護者及び警察に緊急通報を行う。緊急通報は例えば（株）ＮＴＴドコモのＦＯＭＡ（登録商標）網を使用できる。そして、捜査に繋げることが可能である。また、スマートフォンから、救助車両の位置や救助隊員の位置を選択して見られるようにしても良い。
ここで、学校の門に学童の登校・下校を検出し、管理システム用サーバ２に登校・下校データを送信可能なチェックゲートを設けることとする。このようにすると、校内（登校後−下校前）では学童を学校の管理に委ね、校外、特に登校・下校途中に簡易通報システム１を使用するよう構成できる。これにより、学童に対する、校外での安全、安心の見守りが可能になる。
【００３０】
図５は、簡易通報器１０を落水通報システム２０に利用した場合の概念を示す図である。簡易通報器１０に水検知センサーＸ１を接続し、水検知回路２５の２つの端子にそれぞれ水検知センサーの端子を接続する。水検知センサーＸ１の端子Ｘａ，Ｘｂの先端が水中に入ると、２つの水検知センサーの端子Ｘａ，Ｘｂ同士がショートして、２つの端子Ｘａ，Ｘｂを含む回路に電流が流れ、水検知センサーの２つの端子Ｘａ，Ｘｂが水中に入ったこと、すなわち、異常状態が検知される。図２Ｂとの対応では、水検知回路２５はセンサー回路に該当する。
同時に、簡易通報器１０のＧＰＳ信号受信部１３がＧＰＳ衛星６からの信号を受信する。これにより、簡易通報器１０のインターフェイス部１２に異常感知信号が伝わり、直ちに、異常通知信号が形成されて、外部ネットワーク通信部１１から通信ネットワーク５を介して管理システム用サーバ２に異常通知信号が伝達される。その際に、ＧＰＳ信号も外部ネットワーク通信部１１から通信ネットワーク５を介して管理システム用サーバ２に伝達される。簡易通報器１０内蔵の識別情報記憶部１５に蓄積されていた簡易通報器１０の識別番号及び所有者の識別番号も外部ネットワーク通信部１１から通信ネットワーク５を介して管理システム用サーバ２に伝達される。これにより、落水時の緊急通報が行われる。
【００３１】
図６は、実施例１に係る簡易通報器の動作のフロー例を示す図である。
まず、学童が池に落水する（Ｓ００１）。すると、水検知センサーＸ１が水に浸かり（Ｓ００２）、異常感知信号を発信する（Ｓ００３）。すると、インターフェイス部１２に異常感知信号が入力され、異常通知信号が形成される（Ｓ００４）。また、常時ＧＰＳ信号受信部１３がＧＰＳ衛星６からＧＰＳ位置情報を受信する（Ｓ００５）。また、予め識別情報記憶部１５に簡易通報器１０の識別番号と所有者の識別番号を記憶しておく（Ｓ００６）。制御部１４が異常通知信号をインターフェイス部１２から外部ネットワーク通信部１１に送信する。また、ＧＰＳ信号受信部１３からＧＰＳ位置情報を読み出し、識別情報記憶部１５から簡易通報器１０の識別番号と所有者の識別番号を読み出し、外部ネットワーク通信部１１に送信する（Ｓ００７）。次いで、異常通知信号、ＧＰＳ位置情報、簡易通報器１０の識別番号と所有者の識別番号を外部ネットワーク通信部１１から通信ネットワーク５を介して管理システム用サーバ２に送信する（Ｓ００８）。異常時の管理システム用サーバ２への送信情報は、異常通知信号＋簡易通報器１０の位置情報である。平常時の管理システム用サーバ２への送信情報は、例えば定期的に送信するものとし、簡易通報器１０の位置情報だけでも良いが、平常である旨の信号（例えば「００」、「ｂｕｊｉ」等）を送信しても良い。異常通知信号は例えば２ＧＨｚ帯（混線しにくい）、８００ＭＨｚ帯（音質が良い、遠くまで飛ぶ、障害物を回り込む）を使用できる。
【００３２】
異常通知信号を管理システム用サーバ２に送信するに際して、自動ダイヤル、クリックやプッシュボタン等の人手による操作、タイマー操作及びダイヤル操作を介することなく、異常通知信号が管理システム用サーバ２に送信される。管理システム用サーバ２では簡易通報器１０の落水時のＧＰＳ位置情報を、管理システム用モニタ（ディスプレイ等）４に表示する（Ｓ００９）。モニタ４を見た救助隊員が落水現場に急行し（Ｓ０１０）、学童を救助する（Ｓ０１１）。救助の迅速のため、管理システム用サーバ２が設置された管理センター又はその支部（モニタ４が配置された）がモーターボートを備えた池の縁に位置することが好ましい。
【００３３】
また、水検知センサーＸ１に代えて、温度センサーＸ２、傾斜センサーＸ３を用いても良い。温度センサーＸ２は、所定の温度より高温であることを検出した時に管理システム用サーバ２に異常通知信号を即時に通報する。例えば火災の検出に使用される。傾斜センサーＸ３は、所定の傾斜より大きい角度の傾斜を検出した時に管理システム用サーバ２に異常通知信号を即時に通報する。例えば地震の検出、獣の到来（獣による杭への衝突、杭と立木を結ぶロープの引っ張り等）の検出に使用される。
【００３４】
本実施例では、監視される簡易通報器１０が単数の場合で、異常の種別が１つの場合でも、簡易通報器１０の識別番号及び／又は簡易通報器１０の所有者の識別番号を記憶する識別情報記憶部１５を備え、インターフェイス部１２は、異常感知信号を受信した時に異常感知センサーＸＮに対応する異常の種別を判別することとして説明したが、簡易通報器１０が単数の場合には、識別情報記憶部１５は無くても良く、異常の種別を判別しないように構成しても良い。かかる場合には、異常通知信号に異常の種別と簡易通報器１０の識別番号及び／又は所有者の識別番号を付する場合に比して、異常通知信号に付する情報が少ないので、早く通報できる。
【００３５】
以上により、本実施の形態によれば、緊急時において、異常感知センサーで検出された異常感知信号を、自動ダイヤル、タイマー操作及び人手による操作を介することなく、通信ネットワークを介して即時に管理システム用サーバに送信できる。
【実施例２】
【００３６】
実施例１では、監視される簡易通報器１０の所有者が１人の場合を説明したが、実施例２では所有者が複数人の例を説明する。
図７は簡易通報器を野外活動(マラソン大会)に使用する例を示す図である。図７にマラソンコースが二重線で示されている。マラソン大会開催者の係員（監視員・救護班）が簡易通報器１０を所持して監視する。ここでは、開催者の監視活動を効率的に進めるため、また、係員を災害から守るために係員に簡易通報器１０を持たせている。また、各マラソンランナーに所持させることもできる。この場合、いずれかのマラソンランナーがコースをそれた場合を検出でき、係員が、マラソンランナーに元のコースに戻るように誘導することも可能である。また、ランナーが池や海・川・池に落ちることを想定して、落水時の救助活動に利用することも可能である。
【００３７】
図８は簡易通報器１０を船舶管理に使用する例を示す図である。簡易通報器１０を港で荷物を運ぶ複数の契約船に搭載すると、契約船の位置を表示でき、また航路履歴も追跡可能である。また、船員が池や海に落ちることを想定して、落水時の救助活動に利用することも可能である。
図７、図８の例でも、実施例１における図１の構成、図５のフローチャートを適用できる。
実施例２においても、緊急時において、異常感知センサーで検出された異常感知信号を、自動ダイヤル、タイマー操作及び人手による操作を介することなく、通信ネットワークを介して即時に管理システム用サーバに送信できる。
【実施例３】
【００３８】
実施例３では、簡易通報器１０を災害救助活動に使用する例を説明する。
図９は、簡易通報システムの概念を示す図である。管理センター（管理システム用サーバ２、管理システム用データベース３及び管理システム用モニタ４を保管し、簡易通報システム１を保守・管理する）において、簡易通報システム１は、管理システム用サーバ２、管理システム用データベース３及び管理システム用モニタ４を備え、災害救助活動に使用される。管理システム用データベース３には、各簡易通報器１０の識別番号、所有者の識別番号、ＧＰＳ位置情報、異常状態の内容（水没、傾斜、火災等）等を記録し、蓄積しておく。関係者のメールアドレス、災害救助センターのメールアドレス等も記憶される。管理センターでは、管理システム用モニタ４に被災者（簡易通報器１０の所有者）のＧＰＳ位置情報等を表示してリアルタイムに監視する。
管理センターへの災害発生の通報は、各簡易通報器１０より、災害発生時に自動的に各種異常通知信号が通報される。また、各簡易通報器１０の所持者が、通知ボタンを押すと各種異常通知信号が通報される。けがや体調不良等、簡易通報器１０に取り付けられたセンサーでは検知不可能な緊急事態も生じ得るので、その場合にも通報できるようにするためである。これにより、管理システム用モニタ４に被災者のＧＰＳ位置情報が自動表示される。その後、災害救助センター及び関係者には自動的にメール通報される。
【００３９】
図１０は簡易通報器１０を災害救助活動に使用する場合の管理システム用モニタ４の画面の例を示す図である。被災者の他に救助隊員にも簡易通報器１０を所持させる。管理センターでは、例えば、簡易通報システム１の管理システム用モニタ４に、画面をレイヤに分けて表示する。基本情報管理レイヤには地図を表示し、被災者管理レイヤには被災者のＧＰＳ位置情報を表示し、救護施設・避難所表示レイヤには救護施設・避難所のＧＰＳ位置情報を表示し、救助隊・支援機関表示レイヤには救助隊員と関係者のＧＰＳ位置情報を表示する。全てのレイヤを重ねて表示することも、一部を除いて表示することも可能である。被災者と救助隊員とを色分けする、識別番号を付することも可能である。これにより、救助隊は救助活動を素早く・効率的に行うことが可能になる。また、救助隊員に異常が生じた場合にも利用でき、救助活動の安全性を高められる。また、被災者の保護者もスマートフォンから、管理システム用サーバ２を介して、被災者の位置の他に、救助車両の位置や救助隊員の位置を選択して見られるようにしても良い。
実施例３においても、緊急時において、異常感知センサーで検出された異常感知信号を、自動ダイヤル、タイマー操作及び人手による操作を介することなく、通信ネットワークを介して即時に管理システム用サーバに送信できる。
【実施例４】
【００４０】
実施例４では、簡易通報器を屋内でも使用可能とする例を説明する。一般に、ＧＰＳの電波は屋内に入りにくい。そこで、例えばブルートゥース（登録商標）（ｂｌｕｅＴｏｏｔｈ（登録商標））（２．４ＧＨｚ帯＋周波数ホッピング方式）のビーコン信号を用いて、簡易通報器１０の所持者が屋内にいることを通報できるようにする。
図１１は実施例４における通報の概念を説明するための図である。実施例１の簡易通報器１０にアタッチメント３０を付し、さらにブルートゥースを用いたビーコン信号発振器３１が追加される。簡易通報器１０の所持者は、簡易通報器１０とアタッチメント３０を組み合わせて使用する。例えば、簡易通報器１０とアタッチメント３０をベルト３２に付けて携帯する。ビーコン信号発振器３１は屋内に設置され、ブルートゥースのビーコン信号を発振する。ビーコン信号の到達距離は例えば数ｍ以内・数１０ｍ以内であり、アタッチメント３０はビーコン信号発振器３１から数ｍ以内・数１０ｍ以内にあるときにビーコン信号を受信する。
アタッチメント３０には、ビーコン信号発振器３１からのビーコン信号を受信するビーコン信号受信回路３３と、ビーコン信号の受信を簡易通報器１０に通報する通報インターフェイス回路３４とを有する。アタッチメント３０からの異常通知信号を受信した簡易通報器１０は、直ちに管理システム用サーバ２に異常通知信号にＧＰＳ位置情報を付して通報する。
【００４１】
図１２は簡易通報器１０の所持者が館内を移動するときの通報の様相を説明するための図である。館内のエントランス、各室Ａ−０１〜Ａ−０８及び廊下（Ａ）〜（Ｃ）にビーコン信号発振器３１が設置されている。所持者の歩行ラインの例が実線で示されている。所持者がまずエントランスに入ると、所持者のアタッチメント３０はエントランスにあるビーコン信号発振器３１−１０からのビーコン信号を受ける。その結果、所持者の簡易通報器１０の外部ネットワーク通信部１１から通信ネットワーク５を介して管理システム用サーバ２に異常通知信号が送信され、所持者がエントランスに所在することが把握される。次に、所持者が廊下（Ｂ）に移動すると、所持者のアタッチメント３０は廊下（Ｂ）にあるビーコン信号発振器３１−１６からのビーコン信号を受ける。その結果、所持者の簡易通報器１０から管理システム用サーバ２に異常通知信号が送信され、所持者が廊下（Ｂ）に所在することが把握される。次に、所持者が室Ａ−０３に移動すると、所持者のアタッチメント３０は室Ａ−０３にあるビーコン信号発振器３１−１４からのビーコン信号を受け。その結果、所持者の簡易通報器１０からから管理システム用サーバ２に異常通知信号が送信され、所持者が室Ａ−０３に所在することが把握される。このようにして、所持者が移動した室が追跡され順次把握される。そして、所持者が館を出るまで、スビーコン信号発振器からのビーコン信号受信を通して、所持者の所在位置（室）が把握される。
以上より、簡易通報器が屋内にある場合にも、簡易通報器１０の所持者が屋内にいることを通報できる。
【実施例５】
【００４２】
図１３Ａに、簡易通報器をビーコン信号発振器と共に緊急通報に使用する例を示す。砂防ダムには土石流や流木が流れ込み。決壊すると下流に土石流や流木の危険が生じる。そこで、土石流や流木の危険を緊急通報することが求められる。砂防ダムにビーコン信号発振器３１がワイヤー等で係止されている。通常時にはビーコン信号発振器３１はビーコン信号を発生しており、アタッチメント３０を付した簡易通報器１０を所持する点検担当者が巡回中にビーコン信号発振器３１の近く（数ｍ以内・数１０ｍ以内）を通るとビーコン信号を受信できる。また、ビーコン信号発振器３１の近くにアタッチメント３０を付した簡易通報器１０を設置しておくと、簡易通報器１０はビーコン信号を受信できる。ビーコン信号を受信できればまだ土石流や流木の危険が生じていないといえる。簡易通報器１０がビーコン信号を受信すると、ビーコン信号を受信した旨の通報にＧＰＳ位置情報が付されて管理システム用サーバ２に送信される。
【００４３】
図１３Ｂに土石流等でビーコン信号発振器が破損又は紛失した場合を示す。ビーコン信号発振器３１が破損又は紛失した場合には、簡易通報器１０でビーコン信号を受信できなくなる。アタッチメント３０付の簡易通報器１０を所持する点検担当者が、ビーコン信号を受信できないことに気付いたら、異常ボタンを押す等、管理システム用サーバ２に異常通知信号に異常である旨の情報を付して送信する。又は、点検担当者が定期的にビーコン信号発振器３１の近くを巡回することとし、当該ビーコン信号発振器３１の近くを巡回する所定の時間帯に、管理システム用サーバ２に、それまで定期的にされてきたビーコン信号を受信した旨の通報がされなくなった時に、或いはビーコン信号を受信不能の通報がされた場合に、
管理システム用サーバ２で異常状態が発生したと認識できる。また、砂防ダムの近くにアタッチメント３０を付した簡易通報器１０を設置しておく場合には、ビーコン信号の受信ができなくなった時に、管理システム用サーバ２にはそれまで送信されていたビーコン信号受信の信号が途絶え、異常状態が発生したと認識できることになる。或いは簡易通報器１０が定期的にビーコン信号を受信した旨の通報を行い、その後ビーコン信号を受信不能の通報を行った場合に、管理システム用サーバ２で異常状態が発生したと認識できる。ビーコン信号を受信した旨の通報或いはビーコン信号を受信しなかった旨の通報には簡易通報器１０の位置情報を併せて送信すると、管理システム用サーバ２は即座に異常発生位置を特定できるので好ましい。簡易通報器１０と比較して、ビーコン信号発振器３１は常時ビーコン信号を発生する単純な構成であり、安価である。また、簡易通報器１０を持った人が巡回する代わりに、簡易通報器１０を搭載したドローン、ロボット等に巡回させても良い。ビーコン信号発振器３１は安価に製造できるので、破損・紛失しても損失が少なく、がけ崩れ、水害、火災発生のおそれが高い地域に予め設置して置くのに適している。
以上より、簡易通報器１０をビーコン信号発振器３１と共に緊急通報に使用することも可能である。
【００４４】
以上の実施例によれば、緊急時において、異常感知センサーで検出された異常感知信号を、自動ダイヤル、タイマー操作及び人手による操作を介することなく、通信ネットワークを介して即時に管理システム用サーバに送信できる。
【００４５】
以上、本発明の実施の形態について説明したが、実施の形態は以上の例に限られるものではなく、本発明の趣旨を逸脱しない範囲で、種々の変更を加え得ることは明白である。
例えば、以上の実施例の他に、簡易通報器１０をオリエンテーリング、自動車輸送、ヨットレース、観光等にも利用可能である。また、以上の実施例では異常感知センサーとして、水検知センサー、温度センサー、傾斜センサーの例を説明したが、感熱センサー（野獣が通る等）、タッチセンサー（野獣が触れる等）、位置移動センサー（害獣が罠にかかり簡易通報器の位置が移動）、ドアセンサー（ドアの開閉状態や電池電圧を無線で受信機に通知）を使用することも可能である。また、例えば、簡易通報器１０を人が携帯せず、自然木、建造物に取り付けることも可能である。この場合、各簡易通報器の電力消費を節減するために、各簡易通報器の電源をサンプリング時のみ、例えば一定期間の間隔でオンにしても良い。これにより、電力を削減でき、バッテリーを長持ちさせられる。
【産業上の利用可能性】
【００４６】
本発明は、緊急通報に利用される。
【符号の説明】
【００４７】
１    簡易通報システム
２    管理システム用サーバ
３    管理システム用データベース
４    管理システム用モニタ
５    通信ネットワーク
６    ＧＰＳ衛星
１０  簡易通報器
１０Ａ  携帯端末
１０Ｃ  簡易通報器用パッケージ
１１  外部ネットワーク通信部
１２  インターフェイス部
１３  ＧＰＳ信号受信部
１４  制御部
１５  識別情報記憶部
１６  電源部
１７  共通信号バス
２０  落水通報システム
２１  マイコン＋センサー回路
２２  センサー開口部
２３  チャージャー接点
２４  ストラップ開口部
２５  水検知回路
３０  アタッチメント
３１  ビーコン信号発振器
３２  ベルト
３３  ビーコン信号受信回路
３４  通報インターフェイス回路
Ｘ１  水検知センサー
Ｘ２  温度センサー
Ｘ３  傾斜センサー
ＸＮ  異常感知センサー
Ｘａ〜Ｘｃ  水検知センサー回路の端子
【図１】
2020021434.tif 000003
【図２Ａ】
2020021434.tif 000004
【図２Ｂ】
2020021434.tif 000005
【図３】
2020021434.tif 000006
【図４】
2020021434.tif 000007
【図５】
2020021434.tif 000008
【図６】
2020021434.tif 000009
【図７】
2020021434.tif 000010
【図８】
2020021434.tif 000011
【図９】
2020021434.tif 000012
【図１０】
2020021434.tif 000013
【図１１】
2020021434.tif 000014
【図１２】
2020021434.tif 000015
【図１３Ａ】
2020021434.tif 000016
【図１３Ｂ】
2020021434.tif 000017